(57)【特許請求の範囲】
【請求項１】
遊技球の貸出を所定のカードに課金する遊技機であって、
遊技球の貸出要求を行なう貸出要求手段と、
この貸出要求手段からの貸出要求に応じて遊技球の払い出しを行なう払い出し手段と、
上記遊技球を貯留する皿と、
この皿上の遊技球を落とす球落とし操作を検出する検出手段とを備え、
上記検出手段で上記球落とし操作が検出されていないときには上記払い出し手段で上記貸出要求に応じた遊技球の払い出しを行なう一方、上記検出手段で上記球落とし操作が検出されているときには上記払い出し手段で遊技球の払い出しを行なわないことを特徴とする遊技機。
【請求項２】
遊技球の貸出を所定のカードに課金する遊技機であって、
遊技球の貸出要求を行なう貸出要求手段と、
この貸出要求手段からの貸出要求に応じて遊技球の払い出しを行なう払い出し手段と、
上記遊技球を貯留する上皿と、
この上皿から落とされた遊技球を貯留する下皿と、
上記上皿上の遊技球を上記下皿へ落とす球落とし操作と、上記下皿上の遊技球を遊技機外に落とす球落とし操作と、の少なくとも一方を検出する検出手段とを備え、
上記検出手段で球落とし操作が検出されていないときには上記払い出し手段で上記貸出要求に応じた遊技球の払い出しを行なう一方、上記検出手段で球落とし操作が検出されているときには上記払い出し手段で遊技球の払い出しを行なわないことを特徴とする遊技機。
【発明の詳細な説明】
【０００１】
【発明の属する技術分野】
本発明は、カードにて遊技球の貸出に対する課金を行なう遊技機に関する。
【０００２】
【従来の技術】
近年、遊技機の分野では、プリペイドカードなどのカードに課金し、遊技球を貸し出す遊技球貸出カード機が利用されている。この遊技球貸出カード機では、遊技機に装着されている貸出操作ボタンを操作すると、同カードに課金するとともに、遊技機から金額に対応した数の遊技球を払い出している。
【０００３】
【発明が解決しようとする課題】
上述した従来の遊技球貸出カード機においては、プリペイドカードを偽造しておいて遊技球の貸出操作を行ない、払い出された遊技球を商品に変換する不正が行なわれるという課題があった。
本発明は、上記課題にかんがみてなされたもので、かかる不正を行ないにくくすることが可能な遊技機の提供を目的とする。
【０００４】
【課題を解決するための手段】
上記目的を達成するため、請求項１にかかる発明は、遊技球の貸出を所定のカードに課金する遊技機であって、遊技球の貸出要求を行なう貸出要求手段と、この貸出要求手段からの貸出要求に応じて遊技球の払い出しを行なう払い出し手段と、上記遊技球を貯留する皿と、この皿上の遊技球を落とす球落とし操作を検出する検出手段とを備え、上記検出手段で上記球落とし操作が検出されていないときには上記払い出し手段で上記貸出要求に応じた遊技球の払い出しを行なう一方、上記検出手段で上記球落とし操作が検出されているときには上記払い出し手段で遊技球の払い出しを行なわない構成としてある。
また、請求項２にかかる発明は、遊技球の貸出を所定のカードに課金する遊技機であって、遊技球の貸出要求を行なう貸出要求手段と、この貸出要求手段からの貸出要求に応じて遊技球の払い出しを行なう払い出し手段と、上記遊技球を貯留する上皿と、この上皿から落とされた遊技球を貯留する下皿と、上記上皿上の遊技球を上記下皿へ落とす球落とし操作と、上記下皿上の遊技球を遊技機外に落とす球落とし操作と、の少なくとも一方を検出する検出手段とを備え、上記検出手段で球落とし操作が検出されていないときには上記払い出し手段で上記貸出要求に応じた遊技球の払い出しを行なう一方、上記検出手段で球落とし操作が検出されているときには上記払い出し手段で遊技球の払い出しを行なわない構成としてある。
【０００５】
上記のように構成した請求項１，２にかかる発明においては、通常時、利用者などが貸出要求手段によって遊技球の貸出要求を行なうと、払い出し手段はこの貸出要求手段からの貸出要求に応じて遊技機に遊技球の払い出しを行なう。ここで、遊技機は、上記検出手段で上記球落とし操作が検出されていないときには上記払い出し手段で上記貸出要求に応じた遊技球の払い出しを行なう一方、上記検出手段で上記球落とし操作が検出されているときには上記払い出し手段で遊技球の払い出しを行なわない。
【０００６】
すなわち、皿上の遊技球を落とす球落とし操作が行なわれている状態では遊技球の貸出要求を行なう必要性は極めて低く、貸出要求に応じないようにしている。
【０００７】
貸出要求手段は、何らかの操作またはある状態を検出して貸出要求を行なうものであれば良く、例えば、遊技者が貸し出す金額を指定して貸出の操作を行なったり、上皿上の遊技球がなくなってきた状態を検出して自動的に貸出要求を行なうものでも良い。また、操作部分についても遊技機に備えていても良いし、遊技機外に操作部分を備えているものでも構わない。また、カードを挿入するとある一定の金額についての貸出操作となるようなものでも良く、手動操作や自動操作を問わず適用可能である。
【０００８】
検出手段は、皿上の遊技球を落とす球落とし操作を検出する。例えば、遊技機における上皿上の遊技球を下皿に落とす球落とし操作に対応するものであっても良いし、下皿上の遊技球を機外に落とす操作に対応するものであっても良いし、両者に対応するものであっても良い。さらに、検出は、貸出禁止手段との対応により、電気的であっても機械的であってもよい。
【０００９】
貸出禁止手段は、実質的に貸出要求に応じないようにするものであればよい。例えば、貸出要求手段での貸出要求操作を禁止しても良いし、払い出し手段による払い出しの動作を禁止させても良い。球落とし操作を機械的に行なう場合、例えば、貸出要求手段における操作ボタンをロックさせてもよいし、遊技球の払い出し口を閉塞させて払い出しを止めるように構成することもできるなど、電気的手段であっても機械的手段であっても適宜構成可能である。
【００１０】
【発明の効果】
以上説明したように本発明は、不正のプリペイドカードで遊技球を大量に払い出させようとしても皿上の遊技球を落とす球落とし操作がされているときには貸出要求を禁止させるようにしたため、不正を防止することが可能な遊技機を提供することができる。
【００１１】
【発明の実施の形態】
以下、図面にもとづいて本発明の実施形態を説明する。
図１は本発明の一実施形態にかかる遊技球貸出カード機を適用した遊技機を正面図により示しており、図２は上皿部分と下皿部分とを斜視図により示している。
【００１２】
同図において、この遊技機１０はカードユニット２０と並設して配設され、正面中段部分と下段部分にはそれぞれ遊技球を貯留する上皿１１と下皿１２とを備えている。また、図示しない裏面には各種の遊技球の処理機構が配設されており、この中には制御信号に応じて遊技球を上記上皿１１上に払い出す払出機構１３も備えられている。上皿１１上には入賞に応じてこの払出機構１３から遊技球が払い出され、傾斜によって内部の遊技球発射機構へと誘導されているが、当該上皿１１手前に備えられた球落としレバー１１ａを図２にて右方に操作すると下皿１２へと球落としができるようになっている。また、下皿１２は、上記上皿１１への払出球が一杯になったときと、遊技盤上へ発射できなかった遊技球と、上記上皿１１からの遊技球が落下されるようになっており、さらに、手前に備えられた球落としレバー１２ａを図示左方に操作すると底部に設けた球落とし孔１２ｂが開口するようになっている。さらに、上皿１１の左方上面部分にはカード残高を表示する残高表示器２１と、貸出要求の操作を行なう貸出ボタン２２と、カードを抜き出すための返却ボタン２３とが配設されており、カードユニット２０と接続されて所定の表示と操作とが行なえるようになっている。
【００１３】
カードユニット２０内にはＣＰＵをはじめとする電子機器が配設されており、図３は、当該電子機器部分を概略ブロック図により示している。
貸出要求操作部３０は上述した残高表示器２１と貸出ボタン２２と返却ボタン２３とを備えているとともにカード処理部４０と接続されており、当該カード処理部４０に対して貸出要求やその返却を伝えるとともに、カードの残額を表示したりする。同カード処理部４０は貸出要求に対応した払出を行なわせるものであり、残高表示器２１にカードの残高を表示させておき、貸出要求があったときにその確認を求めるとともに、確認があったときには払出機構制御部５０に指示して払出を行なわせる。一方、この前後に所定の手続でカードを減額させ、上記残高表示器２１には最新の残高が表示されるようにする。すなわち、これらの貸出要求操作部３０とカード処理部４０と払出機構制御部５０と払出機構１３とによって貸出要求手段と払い出し手段とを実質的に構成している。なお、払出機構制御部５０は、遊技機１０の払出機構１３から貸出金額に応じた遊技球の払出を制御するものであり、払い出した数を正確にフィードバック可能となっている。
【００１４】
一方、当該カード処理部４０には貸出要求禁止部６０も接続されており、同貸出要求禁止部６０は球落とし操作検出部７０にて球落とし操作が検出されているときには上記カード処理部４０に貸出を禁止するように指示する。ここにおいて同球落とし操作検出部７０は上皿１１と下皿１２の球落としレバー１１ａ，１２ａにマイクロスイッチ７１，７２を備えて構成され、各レバー１１ａ，１２ａが操作されるときに同マイクロスイッチ７１，７２が動作してオン・オフするようになっている。従って、本実施形態においては球落とし操作を検出する球落とし操作検出部７０が遊技球の過供給状態を検出する過供給状態検出手段を構成し、貸出要求禁止部６０が貸出要求禁止手段を構成している。
【００１５】
むろん、遊技球の過供給状態については、別の手段、例えば、上皿１１のオーバーフローを検出して行なうようなものであってもよい。この場合、上皿１１から下皿１２へ通じるオーバーフロー球の球落とし経路にマイクロスイッチなどを装着しておけばよい。
次に、上記構成からなる本実施形態の動作を図４及び図５に示す動作フローチャートを参照して説明する。
カードによる貸出処理では、まず、ステップＳ１００にて貸出要求操作があるか否かが判断される。カード処理部４０では、貸出要求操作部３０の貸出ボタン２２が操作されたか否かを判断し、操作されていない場合には貸出要求がないものとして当該処理を終了するものの、操作されている場合には貸出要求あるものとしてステップＳ１１０にて貸出チェックを行なう。貸出チェックは、貸出要求禁止部６０にて判断されており、ステップＳ２００にて同貸出要求禁止部６０は球落とし操作検出部７０のマイクロスイッチ７１，７２のオン・オフ状態が変化していないか判断する。オン・オフ状態が変化していなければ球落とし操作がされていないことになり、何も処理することなく当該貸出チェック処理を終了する。しかし、オン・オフ状態が変化していれば球落とし操作されていることになり、続くステップＳ２１０にて貸出要求を禁止させて処理を終了する。この貸出要求の禁止は、具体的にはフラグのオン・オフに対応しており、カード貸出処理にて同フラグを参照する。
【００１６】
貸出チェックが終了すると、カード貸出処理ではステップＳ１２０にてフラグを参照して貸出可能であるか否かを判断する。球落とし操作がされていなければ貸出可能であり、ステップＳ１３０にてカードから所定金額だけ減額し、ステップＳ１４０にてカード会社に連絡し、ステップＳ１５０にて払出機構制御部５０に対して減額した金額に見合うだけの遊技球を払い出させるように指示する。すると、同払出機構制御部５０は払出機構１３に制御信号を送り出し、所定数だけ遊技球を払い出させる。なお、遊技球が完全に払い出されたときに払出機構制御部５０に対して完了の通知が出されるようになっている。
【００１７】
しかしながら、球落とし操作がされていればステップＳ１２０では貸出不可と判断し、当該貸出処理を終了させてしまう。従って、貸出要求が出されたにもかかわらず遊技球の払い出しは行なわれず、貸出要求が禁止されたことになる。
この実施例では、貸出要求を出した時点で球落とし操作が行なわれていれば貸出要求を禁止するようになっているが、全く同時でない場合にも貸出要求を禁止させるようにしても良い。例えば、ステップＳ２１０にて貸出要求を禁止するフラグを立てる代わりに貸出要求の禁止開始時間を設定するようにし、ステップＳ１２０にて貸出可能であるか否かを判断するときに同禁止開始時間からの経過時間が一定時間を経過するまで待機するようにしても良い。また、貸出チェックをマイクロスイッチ７１，７２によって起動される割り込みプログラムとして、同様に禁止開始時間を設定して終了するようにしておけば、ステップＳ１２０にて同禁止開始時間からの経過時間を判断し、一定時間以内であれば貸出不可と判断するようにできる。
【００１８】
また、貸出要求禁止部６０はこのようなソフトウェア的にカード処理部４０に対して貸出を禁止させるものに限らず、ハードウェア的に同様の処理を行なったり、貸出要求操作部３０や払出機構制御部５０や払出機構１３を制御するように構成することもできる。例えば、貸出ボタン２２のリード線の途中にマイクロスイッチ７１，７２を介在せしめる構成自体でも実現可能であり、実質的に貸出要求を禁止できる各種の変更が可能である。
【００１９】
このように、遊技機１０における上皿１１や下皿１２の球落としレバー１１ａ，１２ａでの球落とし操作を球落とし操作検出部７０にて検出するとともに、球落とし操作がされているときには貸出要求禁止部６０にて貸出要求を禁止させるようにしたため、貸出要求操作部３０の貸出ボタン２２で貸出操作を行なったとしてもカード処理部４０では払出機構制御部５０を介して払出機構１３から遊技球の払い出しを行なわないようにするため、カード機を利用した不正を行ないにくくすることができる。
【図面の簡単な説明】
【図１】本発明の一実施形態にかかる遊技球貸出カード機を適用した遊技機とカードユニットの正面図である。
【図２】遊技機の上皿と下皿の斜視図である。
【図３】本遊技球貸出カード機の概略ブロック図である。
【図４】貸出チェックのフローチャートである。
【図５】カード貸出処理のフローチャートである。
【符号の説明】
１０…遊技機
１１…上皿
１１ａ…球落としレバー
１２…下皿
１２ａ…球落としレバー
１２ｂ…球落とし孔
１３…払出機構
２０…カードユニット
３０…貸出要求操作部
４０…カード処理部
５０…払出機構制御部
６０…貸出要求禁止部
７０…操作検出部
【図１】
0004161183.tif 000002
【図２】
0004161183.tif 000003
【図３】
0004161183.tif 000004
【図４】
0004161183.tif 000005
【図５】
0004161183.tif 000006